(57)【特許請求の範囲】
【請求項１】
第１のガイドレール及び第２のガイドレールを昇降路内に立設するとともに、取付部材を前記第１のガイドレール及び前記第２のガイドレールに対して摺動可能に保持するガイド部材を前記取付部材に取り付ける取付工程と、
前記取付部材に巻上機を取り付けた状態で、前記取付工程の後、前記取付部材を前記第１のガイドレール及び前記第２のガイドレールの長手方向に摺動させながら、前記巻上機を揚重する揚重工程と、
上記昇降路の底部から所定の高さ位置に前記巻上機及び前記取付部材の垂直荷重を支持する支持部材を固定する固定工程と、
前記固定工程の後、前記支持部材上に前記取付部材及び前記巻上機を設置する設置工程とを有することを特徴とする巻上機の据付方法。
【請求項２】
前記揚重工程は、前記取付部材に吊り上げ治具を取り付け、前記吊り上げ治具を吊り点として揚重する工程を含むことを特徴とする請求項１に記載の巻上機の据付方法。
【請求項３】
前記揚重工程では、前記吊り上げ治具として、前記取付部材から前記第１のガイドレールを越えて突出する突出部分と、前記取付部材から前記第２のガイドレールを越えて突出する突出部分とを有する吊り上げ治具を用い、前記突出部分を吊り点として揚重することを特徴とする請求項２に記載の巻上機の据付方法。
【請求項４】
前記揚重工程は、
前記巻上機又は前記取付部材を吊り点として揚重する第１の揚重工程と、
前記第１の揚重工程の後、前記取付部材から前記第１のガイドレールを越えて突出する突出部分と、前記取付部材から前記第２のガイドレールを越えて突出する突出部分とを有する吊り上げ治具を前記取付部材に取り付け、前記突出部分を吊り点として揚重する第２の揚重工程とを有することを特徴とする請求項１に記載の巻上機の据付方法。
【発明の詳細な説明】
【技術分野】
【０００１】
この発明は、昇降路の底部から所定の高さ位置に巻上機を設置するための巻上機の据付方法に関する。
【背景技術】
【０００２】
巻上機を昇降路の底部から所定の高さ位置に設置する機械室レスエレベータとして、実開昭６３−１１９５７９号公報や特開平７−１０４３４号公報に示されるものがある。このエレベータ装置は、巻上機を昇降路内の頂部において、かごと昇降路壁との間に配置している。このエレベータ装置は昇降路と別に機械室を設ける必要がないため、建物空間を節約することができる点で有利である。
【０００３】
しかし、巻上機を昇降路の底部から所定の高さ位置に設置するためには、巻上機を揚重する必要があり、重量物である巻上機の揚重は大掛かりな作業であった。例えば、巻上機を揚重した状態での固定作業は不安定であり、位置調整や設置精度の確保等が容易ではなかった。
【発明の開示】
【発明が解決しようとする課題】
【０００４】
この発明は上記のような問題点を解決するためなされたもので、昇降路の底部から所定の高さ位置に巻上機を容易に据え付けることができる据え付け方法を得ることを目的とする。
【課題を解決するための手段】
【０００５】
この発明における巻上機の据付方法は、
第１のガイドレール及び第２のガイドレールを昇降路内に立設するとともに、取付部材を前記第１のガイドレール及び前記第２のガイドレールに対して摺動可能に保持するガイド部材を前記取付部材に取り付ける取付工程と、
前記取付部材に巻上機を取り付けた状態で、前記取付工程の後、前記取付部材を前記第１のガイドレール及び前記第２のガイドレールの長手方向に摺動させながら、前記巻上機を揚重する揚重工程と、
上記昇降路の底部から所定の高さ位置に前記巻上機及び前記取付部材の垂直荷重を支持する支持部材を固定する固定工程と、
前記固定工程の後、前記支持部材上に前記取付部材及び前記巻上機を設置する設置工程とを有するものである。
【０００７】
また、前記揚重工程は、前記揚重工程は、前記取付部材に吊り上げ治具を取り付け、前記吊り上げ治具を吊り点として揚重する工程を含むものである。
【０００８】
さらに、前記揚重工程では、前記揚重工程では、前記吊り上げ治具として、前記取付部材から前記第１のガイドレールを越えて突出する突出部分と、前記取付部材から前記第２のガイドレールを越えて突出する突出部分とを有する吊り上げ治具を用い、前記突出部分を吊り点として揚重するものである。
【０００９】
さらにまた、前記揚重工程は、
前記巻上機又は前記取付部材を吊り点として揚重する第１の揚重工程と、
前記第１の揚重工程の後、前記取付部材から前記第１のガイドレールを越えて突出する突出部分と、前記取付部材から前記第２のガイドレールを越えて突出する突出部分とを有する吊り上げ治具を前記取付部材に取り付け、前記突出部分を吊り点として揚重する第２の揚重工程とを有するものである。
【００１０】
次に、本発明について、以下の通り、実施例を説明する。
実施の形態１．
まず、本発明の巻上機の据付方法が適用されるエレベータ装置について図１を用いて説明する。
【００１１】
図１において、１は昇降路、２は昇降路１内を昇降するかご、３ａ，３ｂはかご２の両側面にそれぞれ設けられ、かご２の昇降を案内するかご用のガイドレールである。
【００１２】
４はかご２の昇降方向と反対方向に昇降路内を昇降するつり合いおもり、５ａ，５ｂはつり合いおもり４の両側にそれぞれ設けられ、つり合いおもり４の昇降を案内するつり合いおもり用のガイドレールである。
【００１３】
６はかご２及びつり合いおもり４の昇降の動力源となる巻上機であり、巻上機６は後述の主索が巻きかけられるトラクションシーブ６１とこのトラクションシーブ６１を回転させるモータを含む駆動部６２とを有している。
【００１４】
７は巻上機６をガイドレール５ａ，５ｂの間に取り付けるための取付機構である。本実施の形態はこの取付機構７の詳細は後述する。
【００１５】
８はつり合いおもり４の上部に取り付けられたつり合いおもり滑車であり、９はかご２の下部に設けられたかご下滑車であり、かご下滑車９はかご２の下部に２つ設けられている。
【００１６】
１０はつり合いおもり滑車８、トラクションシーブ６１、かご下滑車９に巻きかけられた主索である。主索１０の一端はガイドレール３ａの上端の主索取付部１１に固定され、他端はガイドレール５ａ，５ｂの間に設けられた主索取付部１２に固定される。
【００１７】
つり合いおもり滑車８は平面図においてガイドレール５ａ，５ｂを通る面に対して傾斜して配置されているため、主索１０をトラクションシーブ６１からつり合いおもり８に至り、主索取付部１２に固定することができる。
【００１８】
このエレベータ装置は巻上機６のトラクションシーブ６１を回転させることで、主索１０を介してかご２及びつり合いおもり４を昇降させる。
【００１９】
次に、取付機構７の構造について詳述する。
図２は取付機構７の構造を示す拡大図であり、取付機構７以外の部分は省略している。
取付機構７は、支持台７１ａ，７１ｂ、梁７２、巻上機６の取付部材としての取付枠７３から構成される。
【００２０】
支持台７１ａ，７１ｂはガイドレール５ａ，５ｂにそれぞれ取り付けられており、梁７２は一端が支持台７１ａに、他端が支持台７１ｂに取り付けられている。
梁７２の上には巻上機の取付枠７３が設置されている。この取付枠７３には巻上機６が取り付けられるとともに、上部ガイド部材７４ａ，７４ｂおよび下部ガイド部材７５ａ，７５ｂが取り付けられている。
【００２１】
上部ガイド部材７４ａ、下部ガイド部材７５ａは、図３に示したように、ガイドレール５ａの摺動面である凸部を弾性体を介して挟み込んでいる。上部ガイド部材７４ｂ、下部ガイド部材７５ｂも同様の構成である。そのため、上部ガイド部材７４ａ，７４ｂおよび下部ガイド部材７５ａ，７５ｂは取付枠７３をガイドレール５ａ，５ｂの長手方向に摺動可能に保持する機能を有している。
【００２２】
また、エレベータ装置の稼動時においては、上部ガイド部材７４ａ，７４ｂおよび下部ガイド部材７５ａ，７５ｂは巻上機６の横振れを低減する振止部材としての機能も有している。
巻上機６および取付枠７３の垂直荷重は梁７２および支持台７１ａ，７１ｂを介してガイドレール５ａ，５ｂに支持される。
【００２３】
次に、上述の取付機構７を前提とした巻上機の据付方法について説明する。
説明には図４のフローチャートおよび図５〜図８の作業状態図を用いる。
【００２４】
まず、ガイドレール５ａ，５ｂを昇降路１内に立設する（図４のＳ１）。
次に、巻上機６を取付枠７３に取付けた状態で、昇降路１の底部に載置する（図４のＳ２）。このとき巻上機６及び取付枠７３はガイドレール５ａ，５ｂの間に載置する。尚、巻上機６、取付枠７３をそれぞれ別個にガイドレール５ａ，５ｂの間に載置した後、巻上機６を取付枠７３に取り付けるようにしてもよい。
【００２５】
次に、図５に示すように、取付枠７３に上部ガイド部材７４ａ，７４ｂおよび下部ガイド部材７５ａ，７５ｂを取り付ける（図４のＳ３）。上部ガイド部材７４ａ，７４ｂおよび下部ガイド部材７５ａ，７５ｂが取り付けられることで、取付枠７３および巻上機６はガイドレール５ａ，５ｂの長手方向に摺動可能に保持されることになる。
【００２６】
次に、図６に示すように、巻上機６を揚重する（図４のＳ４）。巻上機６若しくは取付枠７３を吊り点とし、電動揚重機１３によって吊り上げることで揚重される。このとき、取付枠７３は、巻上機６が取り付けられた状態で、ガイドレール５ａ，５ｂの長手方向に摺動する。
巻上機６および取付枠７３が所定の高さまで揚重された段階で、巻上機６または取付枠７３の下方に吊り上げ用治具１４を固定する。尚、この吊り上げ用治具１４はあらかじめ固定しておいてもよい。
【００２７】
その後、図７に示すように、吊り上げ用治具１４の両端を吊り点とし、それぞれチェーンブロック１３ａ，１３ｂによって巻上機６をさらに揚重する（図４のＳ５）。このとき、チェーンブロック１３ａ，１３ｂを同時に操作する。
【００２８】
吊り上げ用治具１４は巻上機６または取付枠７３の下方に固定されているため、チェーンブロック１３ａ，１３ｂの設置に必要な揚重代をなるべく少なくすることができるし、巻上機６を昇降路１の天井に近づけて配置することができる。
【００２９】
巻上機６が昇降路１内の頂部にまで達した（図８）後、ガイドレール５ａ，５ｂに対して支持台７１ａ，７１ｂをそれぞれ取り付け、この支持台７１ａ，７１ｂに梁７２を固定する（図４のＳ６）。
その後、取付枠７３を梁７２の上に降ろし、取付枠７３を梁７２上に設置する（図４のＳ７）。
【００３０】
以上の作業手順により、図２に示すように巻上機６が昇降路１内の頂部に設置される。
上述の据付方法では、巻上機６及び取付枠７３は、ガイドレール５ａ，５ｂにより横方向の移動が規制されるため、揚重中でも巻上機６が安定する。また取付枠７３の位置調整や巻上機６の設置精度の確保を容易に行うことができる。
【００３１】
また、上下左右にガイド部材を設けているため、揚重時に取付枠７３や巻上機６に回転モーメントが作用した場合でも安定して揚重することができる。
【００３２】
さらに、巻上機６の揚重工程を２段階に分けている。図７に示した揚重の場合、吊り上げ用治具１４を巻上機６または取付枠７３の下方に固定しているため、揚重に要する昇降路１の上部の空間を小さくすることができる。また、吊り上げ用治具１４はガイドレール５ａ，５ｂの間隔よりも長い寸法であり、両端が巻上機６又は取付枠７３からガイドレール５ａ，５ｂを越えて突出している。この突出部分を吊っているため、チェーンブロック１３ａ，１３ｂと巻上機６及び取付枠７３とが接触することがない。
【００３３】
尚、この実施の形態ではガイド部材７４ａ，７４ｂ、７５ａ，７５ｂが取付枠７３に取り付けられているが、取付枠７３を用いず、巻上機６に直接取り付けるようにしてもよい。
また尚、この実施の形態ではつり合いおもりのガイドレール５ａ，５ｂに巻上機６を取り付ける場合を説明しているが、かごのガイドレール３ａ，３ｂに取り付ける場合にも上述の据付方法が適用できる。
【００３４】
さらに、この実施の形態では、支持台７１ａ，７１ｂおよび梁７２によって巻上機６および取付枠７３の垂直荷重を支持する支持部材を構成しているが、他の部材によって構成することも可能である。支持部材は、ガイドレール５ａ，５ｂに固定され、巻上機６および取付枠７３の垂直荷重を支持する構成であれば良い。
【００３５】
また、巻上機６および取付枠７３は梁７２の上の最終的に設置されるが、巻上機６または取付枠７３を弾性部材等の他の部材を介して梁７２上に設置するようにしても良い。
尚、この実施の形態では、巻上機６を昇降路１内の頂部に設置する場合を示しているが、頂部に限られず、昇降路の底部から所定の高さ位置に設置する場合に適用可能である。
【００３６】
本発明の巻上機の据付方法の効果は以下のとおりである。
この発明における巻上機の据付方法は、第１のガイドレール及び第２のガイドレールを昇降路内に立設するとともに、取付部材を前記第１のガイドレール及び前記第２のガイドレールに対して摺動可能に保持するガイド部材を前記取付部材に取り付ける取付工程と、前記取付部材に巻上機を取り付けた状態で、前記取付工程の後、前記取付部材を前記第１のガイドレール及び前記第２のガイドレールの長手方向に摺動させながら、前記巻上機を揚重する揚重工程と、上記昇降路の底部から所定の高さ位置に前記巻上機及び前記取付部材の垂直荷重を支持する支持部材を固定する固定工程と、前記固定工程の後、前記支持部材上に前記取付部材及び前記巻上機を設置する設置工程とを有するため、巻上機を容易に据え付けることができる。
【００３８】
また、前記揚重工程は、前記取付部材に吊り上げ治具を取り付け、前記吊り上げ治具を吊り点として揚重する工程を含むため、巻上機を容易に据え付けることができる。
【００３９】
さらに、前記揚重工程では、前記吊り上げ治具として、前記取付部材から前記第１のガイドレールを越えて突出する突出部分と、前記取付部材から前記第２のガイドレールを越えて突出する突出部分とを有する吊り上げ治具を用い、前記突出部分を吊り点として揚重するため、揚重に要する装置が巻上機や取付部材に接触することがない。
【００４０】
さらにまた、前記揚重工程は、前記巻上機又は前記取付部材を吊り点として揚重する第１の揚重工程と、前記第１の揚重工程の後、前記取付部材から前記第１のガイドレールを越えて突出する突出部分と、前記取付部材から前記第２のガイドレールを越えて突出する突出部分とを有する吊り上げ治具を前記取付部材に取り付け、前記突出部分を吊り点として揚重する第２の揚重工程とを有するため、揚重に要する装置が巻上機や取付部材に接触することがない。
【００４１】
産業上の利用可能性
以上のように、本発明は、巻上機を昇降路の底部から所定の高さ位置に設置する機械室レスエレベータ装置に適用される。
【図面の簡単な説明】
【００４２】
図１は、この発明が適用されるエレベータ装置の全体構成図である。
図２は、この発明が適用される取付機構７の拡大図である。
図３は、ガイド部材の構造を示す図面である。（ａ）は上部ガイド部材７４ａの構造を示す図であり、図２におけるＡ方向の断面図である。（ｂ）は下部ガイド部材７５ａの構造を示す図であり、図２におけるＢ方向の断面図である。
図４は、巻上機６の据付作業の手順を示すフローチャートである。
図５は、上部ガイド部材７４ａ，７４ｂおよび下部ガイド部材７５ａ，７５ｂを取り付ける工程での作業状態を示す図である。
図６は、巻上機６を揚重する第１の工程での作業状態を示す図である。
図７は、巻上機６を揚重する第２の工程での作業状態を示す図である。
図８は、巻上機６を昇降路内の頂部に位置させた状態を示す図である。
【図１】
0004828084.tif 000002
【図２】
0004828084.tif 000003
【図３】
0004828084.tif 000004
【図４】
0004828084.tif 000005
【図５】
0004828084.tif 000006
【図６】
0004828084.tif 000007
【図７】
0004828084.tif 000008
【図８】
0004828084.tif 000009